(57)【要約】【課題】ワンタッチで着脱自在のバックルを提供する。【解決手段】やや湾曲した板状の雄板体２の係合板部６をこれに対応した板状の雌板体３の係合板部１１に係合せしめ、係合板部６にフック部材ｆを形成し、これに対応して係合板部１１にフック受け穴ｒを形成し、両板部２、３のバンド固定部５、１０には回動固定板８、１３を設けてバンドの端部をバックルに着脱自在とし、前記雄板体６の外表面には、デザイン上の飾り板４を着脱自在に付着せしめる。【選択図】図１
2012187191.tif 000002
【特許請求の範囲】
【請求項１】
互いに着脱自在に重ねられる板状の雄板体と雌板体とからなり、前記両板体はバンドの端部を着脱自在に固定するバンド固定部をそれぞれ有するとともに、これら固定部からそれぞれ相手側のバンド固定部に伸びて互いに重ねられる係合板部を有し、前記雄板体の係合板部にフック部材を設け、前記雌板体の係合板部には、前記フック部材と係合するフック受け部を形成し、前記雄板体と雌板体のうち、外側に位置する板体の係合板部外面に交換可能な飾り板を付着せしめてなるバックル。
【請求項２】
前記雄板体を雌板体の外側に係合せしめ、前記雄板体を磁性材料で形成し、前記飾り板を磁石で雄板体に付着せしめてなる請求項１記載のバックル。
【請求項３】
前記バンドと、飾り板とを複数個準備し、前記バンドは色違いのものとし、前記飾り板はその表面の絵柄を異ならせ、これらバンドと飾り板とを交換自在とした請求項１記載のバックル。
【発明の詳細な説明】
【技術分野】
【０００１】
本発明は、ワンタッチで着脱自在のバックルに関する。
【背景技術】
【０００２】
２つの連結部材を重ね合わせ、一方の連結部材に突起を設け、他方の連結部材に凹部を設け、前記突起を凹部（開口）に係合させ、前記両連結部材の重ね合わせ面に磁石を設けて固定させるようにしたバックルが知られている。
【先行技術文献】
【特許文献】
【０００３】
【特許文献１】特開昭６２−１１９８１５号
【発明の概要】
【発明が解決しようとする課題】
【０００４】
しかしながら、前記バックルは、単純な突起とこの突起を受ける開口でベルトの引っ張りに対しての抵抗体を構成し、連結部材の合わせ方向に対する抵抗を両連結部の合わせ面に取り付けた磁石によって構成するようにしているので、磁石が弱まった場合には、連結部材が外れ易くなるとともにバックル前面の絵柄等変化させることができないので使用者が飽きてしまうという欠点があった。
【課題を解決するための手段】
【０００５】
そこで、本発明のバックルを互いに着脱自在に重ねられる板状の雄板体と雌板体とからなり、前記両板体はバンドの端部を着脱自在に固定するバンド固定部をそれぞれ有するとともに、これら固定部からそれぞれ相手側のバンド固定部に伸びて互いに重ねられる係合板部を有し、前記雄板体の係合板部にフック部材を設け、前記雌板体の係合板部には、前記フック部材と係合するフック受け部を形成し、前記雄板体と雌板体のうち、外側に位置する板体の係合板部外面に交換可能な飾り板を付着せしめるようにした。
【０００６】
また、前記雄板体を雌板体の外側に係合せしめ、前記雄板体を磁性材料で形成し、前記飾り板を磁石で雄板体に付着せしめるようにした。
【０００７】
さらにまた、前記バンドと、飾り板とを複数個準備し、前記バンドは色違いのものとし、前記飾り板はその表面の絵柄を異ならせ、これらバンドと飾り板とを交換自在とした。
【発明の効果】
【０００８】
板状の雄板体と雌板体はそれぞれバンドの端部を着脱自在に固定するバンド固定部を備えているので、バンドの長さを自由に調節できる。
【０００９】
また、両板体を係合させるのに雄板体にフック部材を設け雌板体にフック受け部を設けたので、両板体を確実に係合させることができる。
【００１０】
更に、また、外側に位置する板体の係合板部外面に交換可能な飾り板を設けたので、希望する時に、他の絵柄に変更できるので飽きがこないという効果を有する。
【００１１】
前記飾り板を磁石で外側に位置する雄板体に付着せしめれば、飾り板の交換が容易となるばかりでなく、バンドの色も交換できるのでデザイン的に変化させることができその変化を楽しむことができる。
【図面の簡単な説明】
【００１２】
【図１】両板体を係合せしめたときの側面図である。
【図２】本発明のバックルの雄板体の斜視図である。
【図３】本発明のバックルの雌板体の斜視図である。
【図４】飾り板の斜視図である。
【図５】バックル組物の斜視図である。
【発明を実施するための形態】
【００１３】
図１において、本発明のバックル１は、互いに重ね合わされる雄板体２と雌板体３とからなり、これら両板体２、３は僅かに湾曲している。雄板体２は、雌板体３の外側に位置し、この雄板体２の外表面には、飾り板４が着脱自在に付着している。
【００１４】
前記雄板体２は、バンドの端部ｂａを着脱自在に固定するバンド固定部５を有し、このバンド固定部５から係合板部６が伸びており、この係合板部６の裏面には、３つのＬ形のフック部材ｆが所定間隔で取り付けられている。前記バンド固定部５は雄板体２の幅方向両端に立設した側板部５ａ、５ｂを備え、この側板部５ａ、５ｂに植設された回動ピン７、７に回動固定板８が回動自在に取り付けられている。前記回動固定板８の端部には、歯９、９、９が設けられ、この歯９をバンドの端部ｂａに喰い込ませてバンドの端部ｂａをバンド固定部５に着脱自在に取り付けている。
【００１５】
前記雌板体３は、バンドの端部ｂａを着脱自在に固定するバンド固定部１０を備え、このバンド固定部１０から係合板部１１が伸び、この係合板部１１には、前記雄板体２のフック部材ｆに対応したフック受け穴（部）ｒ、ｒ、ｒが形成されている。前記バンド固定部１０の幅方向端部には枠体１２、１２が形成され、この枠体１２間に回動固定板１３が、枠板１２の突出端面に取り付けられた回動ピン１３ａ、１３ａを回動軸として回動自在に取り付けられ、前記回動固定板１３の端部には、歯１４、１４、１４が設けられ、この歯１４がバンドの端部ｂａに喰い込むことにより、バンドを着脱自在にバンド固定部１０に固定せしめる。前記バンド固定部１０は、回動固定板１３とともに全体としてバンドの端部を受ける受け空間１５を形成している。
【００１６】
前記フック受け穴ｒの幅は前記フック部材ｆの先端折曲部の幅よりやや広めであり、前記雄板体２を雌板体３に係合させるときは、前記両係合部６,１１を対抗させて互いに近づけて接触させ雄板部６のフック部材ｆをフック受け穴ｒ内を通してフック部材の折曲部を係合板部１１の裏面まで到らしめ、手を両板体２、３から離すと身体の弾力によりバンドが張られるので、前記フック部材がフック受け穴ｒの端面に接触してバックルが固定され、両板体２、３がしっかりと固定される。両板体2、３を離すときは、両板体２、３を僅かに互いに近づく方向にスライド出せてフック部材ｆの折曲部をフック受け穴ｒの下方に整合せしめてフック部材ｆをフック受け穴ｒから抜くようにする。
【００１７】
前記外側に位置する雄板体２は磁性材料からなり、その外表面には、飾り板４が着脱自在に付着されている。前記飾り板４の表面には、絵柄２０、２０が形成され、その裏面には、磁石２１、２１が取り付けられている。前記飾り板４は、雄板体２０の外表面に対応して湾曲している。バンドの端部を両板体２、３から外すときには、両回動固定板８、１３の内側端裏側に手の指を入れて、それらを回動せしめてバンドの端部ｂａをバンド固定部５、１０から解放する。
【００１８】
前記バンド本体及び飾り板４は複数個準備し、図5に示すようにバックル組物３０として使用するのがよい。すなわち、バンド本体３１は、白黒の2種類準備し、飾り板４は３〜５枚準備し、これらバンド本体３１および飾り板４を適宜交換して使用すれば飽きがこない。なお、両板体２、３は一種類でよい。
【符号の説明】
【００１９】
１…バックル
２…雄板体
３…雌板体
４…飾り板
５、１０…バンド固定部
８、１３…回動固定板
２０…絵柄
ｆ…フック部材
ｒ…フック受け穴
【図１】
2012187191.tif 000003
【図２】
2012187191.tif 000004
【図３】
2012187191.tif 000005
【図４】
2012187191.tif 000006
【図５】
2012187191.tif 000007
【手続補正書】
【提出日】平成23年3月23日(2011.3.23)
【手続補正１】
【補正対象書類名】図面
【補正対象項目名】全図
【補正方法】変更
【補正の内容】
【図１】
2012187191.tif 000008
【図２】
2012187191.tif 000009
【図３】
2012187191.tif 000010
【図４】
2012187191.tif 000011
【図５】
2012187191.tif 000012